(57)【要約】【課題】  適温水と高温水とを吐水する切替部材において、操作性の向上を図ることである。【解決手段】  適温水が導入される第１入口部２４及び高温水が導入される第２入口部２５を備えた切替本体部２２と、この切替本体部２２に挿入され第１入口部２４から供給される適温水の流路開閉及び第２入口部２５から供給される高温水の流路開閉を独立して行なう切替弁体４５と、切替弁体４５と連繋したハンドル２１とを備え、前記切替本体部２２には切替弁体４５を介して第１入口部２４と連通する第１出口部２８及び第２入口部２５と連通する第２出口部２９を備え、ハンドル２１の操作により適温水と高温水とを各出口部２８，２９から独立して供給されるようにした。【選択図】  図１
2006194040.tif 000002
【特許請求の範囲】
【請求項１】
適温水が導入される第１入口部及び高温水が導入される第２入口部を備えた切替本体部と、この切替本体部に挿入され第１入口部から供給される適温水の流路開閉及び第２入口部から供給される高温水の流路開閉を独立して行なう切替弁体と、切替弁体と連繋したハンドルとを備え、前記切替本体部には切替弁体を介して第１入口部と連通する第１出口部及び第２入口部と連通する第２出口部を備え、ハンドルの操作により適温水と高温水とを各出口部から独立して供給されるようにしたことを特徴とする切替部材。
【請求項２】
前記切替本体部の各出口にはシャワーヘッドとミストノズルとが取り付けられたことを特徴とする請求項１記載の切替部材。
【請求項３】
前記ハンドルは中央で止水位置とし、中央から一方への回転で適温水が供給され、中央から他方への回転で高温水が供給されることを特徴とする請求項１または２記載の切替部材。
【発明の詳細な説明】
【技術分野】
【０００１】
この発明は、湯水の流路を開閉し、複数の吐水形態によるシャワー水の何れかを供給できるようにした切替部材に関するものである。
【背景技術】
【０００２】
例えば浴室で入浴を楽しむ場合、温度調節部材で温度調節された適温水を通常のシャワーヘッドから吐水させるだけでなく、湯水を霧状として身体全体を包み込むことのできるミストシャワー水を吐水させる場合がある。この場合、ミストシャワー水を吐水すると湯水は霧状となり、身体の全体を包みながら暖めることができ、気持ちのよいものである。  このように通常のシャワー水だけでなくミストシャワー水を吐水できるものとして公知のものに特許文献１がある。特許文献１では湯と水とを適温に温度調節する混合弁と、混合弁から導入される適温水を二つの流路に分岐する切替弁とを備え、切替弁には二つの出口が設けられ、一方の出口は通常のハンドシャワーと連通し、他方の出口はミストシャワーと連通し、切替弁と連繋したハンドルの操作で、混合弁から導入される温度調節された適温水をハンドシャワーまたはミストシャワーへ供給し、適温水は外部へ吐水されるものである。
【特許文献１】特開平１０−２８６５６号公報
【発明の開示】
【発明が解決しようとする課題】
【０００３】
特許文献１ではミストシャワーから吐水される適温水は混合弁で適温に混合されているが、ミストシャワーは通常のシャワー水と比較して、吐水時に吐水温度が大幅に低下するものであり、混合弁により適温に温度調節したつもりでも温度の低下により低温の湯が供給されてしまう。そこで適温のミストシャワー水を吐水するには、混合弁と連繋したハンドルで高温に吐水温度を設定する必要があり、通常のシャワー水を吐水する場合とミストシャワー水を吐水する場合とで、混合弁で設定する温度を変更しなければならず、操作性の悪いものであった。
【０００４】
この発明は、このような従来の技術に存在する問題点に着目してなされたものであり、その目的は、適温水と高温水とを吐水する切替部材において、操作性の向上を図ることである。
【課題を解決するための手段】
【０００５】
上記目的を達成するため、請求項１記載の発明では、適温水が導入される第１入口部及び高温水が導入される第２入口部を備えた切替本体部と、この切替本体部に挿入され第１入口部から供給される適温水の流路開閉及び第２入口部から供給される高温水の流路開閉を独立して行なう切替弁体と、切替弁体と連繋したハンドルとを備え、前記切替本体部には切替弁体を介して第１入口部と連通する第１出口部及び第２入口部と連通する第２出口部を備え、ハンドルの操作により適温水と高温水とを各出口部から独立して供給されるようにしたものである。
【０００６】
請求項２に記載の発明では請求項１記載の切替部材において、前記切替本体部の各出口にはシャワーヘッドとミストノズルとが取り付けられたものである。
【０００７】
請求項３に記載の発明では請求項１または請求項２記載の切替部材において、前記ハンドルは中央で止水位置とし、中央から一方への回転で適温水が供給され、中央から他方への回転で高温水が供給されるものである。
【発明の効果】
【０００８】
本発明の請求項１記載の発明では、切替本体部には適温水と高温水と導入され、単一のハンドルの操作で適温水と高温水との何れかの供給を切り替えることができるので、簡単な操作で希望する形態の湯水を素早く供給することができ、使い勝手がよい。
【０００９】
請求項２に記載の発明では、シャワーヘッドからは適温水が供給され、ミストノズルからは高温水が供給されるので、単一のハンドルの操作でシャワーヘッドまたはミストノズルに適した最適な温度の湯水を供給することができる。
【００１０】
請求項３に記載の発明では、ハンドルを中央から一方または他方への操作で、適温水または高温水を供給することができ、操作が容易で誤操作することがない。
【発明を実施するための最良の形態】
【００１１】
以下、本発明を具体化した実施形態を図に基づいて詳細に説明する。
【実施例】
【００１２】
図１に示すように、浴室１には浴槽２と洗い場３とが隣接して配置され、この浴槽２と洗い場３に沿って壁板４が立設している。壁板４の前方には洗い場３に向けてカウンター５が設けられ、このカウンター５の水平面に水栓６が装着されている。水栓６は洗い場３へ向けて供給される湯水の温度調節が行なわれる温度調節部材１０と、温度調節部材１０または給湯器（図示省略）から導入される湯水の吐止水と流量とを調節する切替部材２０と、切替部材２０から導入される適温水を洗い場３などに向けて供給するシャワーヘッド６０と、切替部材２０から導入される高温水を洗い場３などに向けて供給するミストシャワー７０とを備えている。
【００１３】
図２に示すように、前記水栓６の温度調節部材１０と切替部材２０とは、その機能部がカウンター５内に埋め込まれた状態で装着されており、カウンター５には温度調節部材１０と連繋し湯水の温度を調節する温調ハンドル１１と、湯水の吐水、止水の切り替えと流量調節を行なう切替部材２０の切替ハンドル２１とがそれぞれ上部に突出した状態で併設されている。切替部材２０は、温度調節部材１０を通過した適温水、及び温度調節部材１０を通過しないで給湯器から直接導入される高温水の吐水、止水の開閉と流量調節とを行なうもので、適温水のシャワーヘッド６０からの供給、又は高温水のミストシャワー７０からの供給の何れかを切り替えられるものである。
【００１４】
前記温度調節部材１０は、略円筒状に形成された温調本体部１２の外周面に２つの入口部１３，１４と１つの出口部１５とが形成され、水入口部１３は水供給管１６を介して給水源と連通し、湯入口部１４は湯供給管１７を介して給湯器と連通し、出口部１５は連結管１８を介して切替部材２０と連通し、内部には両入口部１３，１４から導入される水と湯との混合温度を調節するための調節弁１９が収容されている。また、カウンター５の上部には調節弁１９と連繋した温調ハンドル１１が取り付けられている。
【００１５】
前記切替部材２０は、温度調節部材１０により温度調節された適温水のシャワーヘッド６０への供給、または温度調節部材１０を通過しないで給湯器から直接導入される高温水のミストシャワー７０への供給の何れかを切り替えるもので、適温水は図１に示すホース６１を介してシャワーヘッド６０へ供給され、このシャワーヘッド６０は壁板４の上下中間部に固定されたホルダー６２に着脱自在に支持されている。また、高温水は通水管７１を介してミストシャワー７０へ供給され、このミストシャワー７０は壁板４の上端部に固定されている。
【００１６】
図３に示すように、切替部材２０はその骨格を構成する切替本体部２２を備える。切替本体部２２はその内部に適温水及び高温水が通過する通水路２３が形成された略円筒状で、前記温度調節部材１０と併設した状態でカウンター５の内側に埋め込み状態で装着される。切替本体部２２はその外周面から同一方向に突出して一対の入口部２４，２５が軸心方向に互いの間隔を設けて形成され、一方に形成された第１入口部２４は、前記連結管１８を介して温度調節部材１０の出口部１５に接続され、他方に形成された第２入口部２５は、高温水供給管２７を介して給湯器に接続されている。
【００１７】
切替本体部２２の外周面から同一方向に突出して、その軸心を中心として前記各入口部２４，２５と反対側には、一対の出口部２８，２９が軸心方向に互いの間隔を設けて形成され、一方に形成された第１出口部２８は、通水路２３を介して前記第１入口部２４と同一軸線上に形成され、ホース６１を介してシャワーヘッド６０に接続される。また、第２出口部２９は、前記第１出口部２８と所定の間隔をおいて形成され、前記第２入口部２５と通水路２３を介して同一軸線上に配置されており、通水管７１を介してミストシャワー７０に接続されている。
【００１８】
切替本体部２２はその通水路２３の軸心方向に切替カートリッジ３１が装着される。切替カートリッジ３１は中空円筒状で、図４に示すように、内部に中間筒４０が結合される外筒３２と、この外筒３２及び中間筒４０の内部に回転自在に収容される切替弁体４５とを備えている。前記外筒３２の一端には中間筒４０及び切替弁体４５を軸方向に収容するための開口孔３３が形成され、その周壁には切替本体部２２の第２入口部２５と連通する入口孔３４が形成され、この入口孔３４と軸方向の同一軸線上に第１出口孔３５と第２出口孔３６とが形成されている。この第１出口孔３５と第２出口孔３６との外周にはストレーナ３７，３７が装着され、適温水または高温水に含まれた異物はストレーナ３７，３７により捕捉されるようにしている。
【００１９】
前記外筒３２の外周面には、入口孔３４と第１出口孔３５との間、及び入口孔３４と第１出口孔３５の外側両端の計４箇所に環状溝３８が形成され、各環状溝３８にはシール材３９がそれぞれ装着されている。このシール材３９は切替本体部２２の隔壁２２ａと外筒３２の外周面との間を水密的にシールするものであり、ゴム，合成樹脂，その他の弾性体を素材とし、第１入口部２４と第１出口部２８とを連通させる通水路２３を、適温水一次室２３ａと適温水二次室２３ｂとに仕切り、高温水入口部２５と高温水出口部２９とを連通させる通水路２３を、高温水一次室２３ｃと高温水二次室２３ｄとに仕切るように各室の間に装着されている。
【００２０】
前記中間筒４０は外筒３２の内部に結合され、その外周面には外筒３２の第１出口孔３５と連通する第１通水孔４１と、第２出口孔３６と連通する第２通水孔４２とが形成されている。なお、本実施例では外筒の内部に中間筒を結合しているが、外筒と中間筒とは一体としてもよい。
【００２１】
前記切替弁体４５は略円筒状で、外筒３２の内部に回転自在に装着される。切替弁体４５の一端には前記切替本体部２２の第１入口部２４と連通する第３通水孔４６が形成され、外周面には外筒３２の第１出口孔３５および中間筒４０の第１通水孔４１と連通する第４通水孔４７と、外筒３２の入口孔３４と連通する第５通水孔４８と、外筒３２の第２出口孔３６および中間筒４０の第２通水孔４２と連通する第６通水孔４９とが形成されている。切替弁体４５の内部には隔壁５０が形成され、この隔壁５０により切替弁体４５の内部の流路は、適温水一次室２３ａと連通し適温水が通過する第１通水室５１と、高温室一次室２３ｃと連通し高温水が通過する第２通水室５２とに仕切られている。従って、温度調節部材１０から供給される適温水と給湯器から供給される高温水とは、切替弁体４５の内部で混合することはない。
【００２２】
前記切替弁体４５の一端には外筒３２に形成された挿通孔３２ａを挿通するスピンドル５３が結合され、スピンドル５３の先端には切替ハンドル２１が装着されている。
切替ハンドル２１は中央が止水位置で、その止水位置から一方へ回転させると適温水が供給され、他方へ回転させると高温水が供給されるように設定されているものであり、切替ハンドル２１の回転操作により切替弁体４５は外筒３２の内部を回転し、中間筒４０の通水孔４１，４２を通過する適温水または高温水は、ホース６１または通水管７１を介してシャワーヘッド６０またはミストシャワー７０へ供給される。
【００２３】
次に、この実施形態の切替部材の作用について説明する。
図５（ａ）（ｂ）は、適温水と高温水との何れもシャワーヘッド６０またはミストシャワー７０から供給されない止水状態を示している。この状態においては、切替ハンドル２１の操作により切替弁体４５がその軸線を中心とした一方の回動位置に配置され、切替弁体４５の第１通水室５１と中間筒４０の第１通水孔４１とは、切替弁体４５の隔壁４５ａによりその流路が遮断されている。また、切替弁体４５の第２通水室５２と中間筒４０の第２通水孔４２とは、切替弁体４５の隔壁４５ａによりその流路が遮断されている。従って、温度調節部材１０から導入される適温水と給湯器から導入される高温水とは切替部材２０で止水され、各出口部２８，２９からシャワーヘッド６０またはミストシャワー７０へは供給されない。
【００２４】
シャワーヘッド６０から適温水を供給するには、切替ハンドル２１を回転操作する。図６（ａ）（ｂ）に示すように、切替ハンドル２１の止水位置である中央から一方の左方向への回転操作により、切替弁体４５が外筒３２の内部で回転すると、切替弁体４５の第１通水室５１と中間筒４０の第１通水孔４１とは、切替弁体４５の第４通水孔４７により連通する。また、切替弁体４５の第２通水室５２と中間筒４０の第２通水孔４２とは、切替弁体４５の隔壁４５ａによりその流路が遮断されている。従って、図３に示す温度調節部材１０から切替部材２０へ連結管１８を介して導入される適温水は、第１出口部２８とホース６１とを通過し、シャワーヘッド６０から外部へ供給される。また、給湯器から高温水供給管２７を介して導入される高温水は、切替部材２０で止水され、第２出口部２９からミストシャワー７０へは供給されない。
【００２５】
ミストシャワー７０から高温水を供給するには、切替ハンドル２１を回転操作する。図７（ａ）（ｂ）に示すように、切替ハンドル２１の止水位置である中央から一方の右方向への回転操作により、切替弁体４５が外筒３２の内部で回転すると、切替弁体４５の第１通水室５１と中間筒４０の第１通水孔４１とは、切替弁体４５の隔壁４５ａによりその流路が遮断されている。また、切替弁体４５の第２通水室５２と中間筒４０の第２通水孔４２とは、切替弁体４５の第６通水孔４９により連通する。従って、給湯器から導入される高温水は第２出口部２９と通水管７１とを通過し、ミストシャワー７０から適温となって供給される。また、温度調節部材１０から導入される適温水は、切替部材２０で止水され、第１出口部２８からシャワーヘッド６０へは供給されない。
【００２６】
以上のように本発明の切替部材では、切替本体部には適温水と高温水と導入され、単一のハンドルの操作で適温水と高温水との何れかの供給を切り替えることができるので、簡単な操作で希望する形態の湯水を素早く供給することができ、使い勝手がよい。
【００２７】
また、シャワーヘッドからは適温水が供給され、ミストノズルからは高温水が供給されるので、単一のハンドルの操作でシャワーヘッドまたはミストノズルから最適な温度の湯水を供給することができる。
【００２８】
さらに、ハンドルを中央から一方または他方への操作で、適温水または高温水を供給することができ、操作が容易で誤操作することがない。
【００２９】
なお、本実施形態では高温水をミストシャワーへ供給するが、ミストシャワーに替えて他のシャワー器具、または他の吐水器具へ供給するようにしてもよい。
【図面の簡単な説明】
【００３０】
【図１】本発明の切替部材が取り付けられた浴室の全体図。
【図２】切替部材を備えた水栓が浴室のカウンターに装着された状態の説明図。
【図３】切替部材の要部拡大断面図。
【図４】切替カートリッジの分解斜視図。
【図５】（ａ）は止水状態の切替カートリッジを示す断面図。（ｂ）は同じく止水状態の切替ハンドルを示す平面図。
【図６】（ａ）は適温水の供給状態の切替カートリッジを示す断面図。（ｂ）は同じく適温水の供給状態の切替ハンドルを示す平面図。
【図７】（ａ）は高温水の供給状態の切替カートリッジを示す断面図。（ｂ）は同じく高温水の供給状態の切替ハンドルを示す平面図。
【符号の説明】
【００３１】
２０  ：  切替部材
２１  ：  切替ハンドル
２２  ：  切替本体部
２４  ：  第１入口部
２５  ：  第２入口部
２８  ：  第１出口部
２９  ：  第２出口部
４５  ：  切替弁体
６０  ：  シャワーヘッド
７０  ：  ミストシャワー
【図１】
2006194040.tif 000003
【図２】
2006194040.tif 000004
【図３】
2006194040.tif 000005
【図４】
2006194040.tif 000006
【図５】
2006194040.tif 000007
【図６】
2006194040.tif 000008
【図７】
2006194040.tif 000009